(57)【特許請求の範囲】
【請求項１】
流下する浮遊物を阻止するスクリーンを取水口に設置するとともに、該スクリーンの近傍に、開閉可能にゲートを配設した開口部を形成した取水装置において、開放したゲートによりスクリーンの背面を閉鎖するようにしたことを特徴とする取水装置。
【請求項２】
前記スクリーンを、多数の円板が回転軸に固定された多重回転円板式スクリーンユニットを、該スクリーンユニットの円板の間隙に隣接するスクリーンユニットの円板が挿入されるように並設したディスクスクリーンにより構成したことを特徴とする請求項１記載の取水装置。
【発明の詳細な説明】
【０００１】
【発明の属する技術分野】
本発明は、取水装置に関し、特に、水の逆流時にスクリーンの内側に滞留する浮遊物を排出することができる取水装置に関するものである。
【０００２】
【従来の技術】
従来、農業用水等の取水口には、河川を流下する浮遊物を阻止しながら取水するために、スクリーンを設置している。
このような目的に用いられるスクリーンとしては、鉄棒等を一定間隔で配列固定したバー式スクリーンか、網を張設したネット式スクリーンが一般的であるが、多数の円板が回転軸に固定された多重回転円板式スクリーンユニットを、該スクリーンユニットの円板の間隙間に隣接するスクリーンユニットの円板が挿入されるように並設したディスクスクリーンを用いる場合もある。
【０００３】
【発明が解決しようとする課題】
ところで、調整池や海、河川から水位差によって自然流入する池等では、取水側水位の変動により、取水口で流入と流出の両方向の流れが生じる。
スクリーンは、本来、流入する水中の浮遊物を阻止する目的で設置されているが、上記のように水が逆流する場合には、池で発生したごみや水草等の浮遊物が流出時にスクリーンを閉塞させる場合がある。
このため、スクリーンの内側の浮遊物を定期的に取り除くことが必要であり、従来では、人力によって浮遊物の掻上げ作業を行っていることから、人件費が高くつき、これが維持管理費の高騰を招くという問題があった。
【０００４】
本発明は、上記従来の取水装置が有する問題点に鑑み、水の逆流時にスクリーンの内側に滞留する浮遊物を排出することができる取水装置を提供することを目的とする。
【０００５】
【課題を解決するための手段】
上記目的を達成するため、本発明の取水装置は、流下する浮遊物を阻止するスクリーンを取水口に設置するとともに、該スクリーンの近傍に、開閉可能にゲートを設置した開口部を形成した取水装置において、開放したゲートによりスクリーンの背面を閉鎖するようにしたことを特徴とする。
【０００６】
本発明の取水装置は、通常時はゲートにより開口部を閉じスクリーンを通じて取水するとともに、水の逆流時はゲートを開けて開口部を開放し、スクリーンの内側に滞留する浮遊物を開口部から排出することができる。
【０００７】
そして、開放したゲートによりスクリーンの背面を閉鎖することにより、逆流する水をスクリーンを通さずに開口部から放出し、浮遊物を効率的に排出することができる。
【０００８】
また、前記スクリーンを、多数の円板が回転軸に固定された多重回転円板式スクリーンユニットを、該スクリーンユニットの円板の間隙に隣接するスクリーンユニットの円板が挿入されるように並設したディスクスクリーンにより構成することができる。
【０００９】
これにより、スクリーンの内側に滞留する浮遊物を、回転駆動するスクリーンユニットにより順次横送りし、開口部から速やかに排出することができる。
【００１０】
【発明の実施の形態】
以下、本発明の取水装置の実施の形態を図面に基づいて説明する。
【００１１】
図１〜図３に、本発明の取水装置の一実施例を示す。
【００１２】
例えば、河川から池に取水するために、河川１側に取水口２が設けられ、この取水口２には、河川１を流下する浮遊物を阻止するスクリーン３が設置されている。
そして、本実施例の取水装置では、スクリーン３が取水口２からやや前方に突出して設置されるとともに、スクリーン３の両端部の背面側に、開閉可能にゲート４を設置した開口部５が形成されている。
【００１３】
ゲート４は、それぞれスクリーン３端部の背面に近接した位置に鉛直方向の枢着軸４ａ６を備え、開き扉のように約９０°回転することにより、図１（ａ）に示すように開口部５を閉じる状態と、図１（ｂ）に示すように、開口部５を開放し、かつスクリーン３の背面を閉鎖する状態とを選択的に形成することができる。
なお、このゲート４の開閉は、ゲート開閉装置６によって自動的に行うことができる。
【００１４】
一方、スクリーン３は、図３に示すように、多数の円板３１が回転軸３２に固定された多重回転円板式スクリーンユニット３０を、該スクリーンユニット３０の円板３１の間隙に隣接するスクリーンユニット３０の円板３１が挿入されるように並設したディスクスクリーンにより構成されている。
各スクリーンユニット３０は、軸受を介して回転可能にフレーム７に固定され、フレーム７に設置された動力装置８によって正逆方向に回転駆動する。
【００１５】
また、本実施例の取水装置では、図２に示すように、取水口２の上壁２ｂに、取水口２の水の流れ方向を検知する流れ方向検知装置９が設置されている。
この流れ方向検知装置９は、一端を枢着したフラップ１１を水に浸かるように垂下し、流れによって変化するフラップ１１の角度を検知センサ１０によって検知することにより、取水口２の水の流れ方向を検知することができる。
したがって、この流れ方向検知装置９によって、ゲート４の開閉を自動的に制御し、開口部５の開閉動作を自動化することができる。
【００１６】
このように、本実施例の取水装置は、通常時は、図１（ａ）に示すように、ゲート４により開口部５を閉じスクリーン３を通じて取水するとともに、水の逆流時は、図１（ｂ）に示すように、ゲート４を開けて開口部５を開放し、スクリーン３の内側に滞留する浮遊物を開口部５から排出することができる。
【００１７】
この場合、図１（ｂ）に示すように、開放したゲート４によりスクリーン３の背面を閉鎖することが可能であり、これにより、逆流する水をスクリーン３を通さずに開口部５から放出し、浮遊物を効率的に排出することができる。
【００１８】
次に、図４に、取水装置の参考例を示す。
この取水装置では、上記実施例と同様に、河川１側に取水口２が設けられ、この取水口２には、河川１を流下する浮遊物を阻止するディスクスクリーン３が設置されている。
そして、スクリーン３が取水口２からやや前方に突出して設置されるとともに、スクリーン３の両端部の背面側に、開閉可能にゲート４を設置した開口部５が形成されている。
【００１９】
一方、この参考例のゲート４は、それぞれ取水口２の側壁２ａに近接した位置に鉛直方向の枢着軸４ａを備え、開き扉のように約１８０°回転することにより、開口部５を閉じる状態と、開口部５を開放し、かつ取水口２の側壁２ａに沿う状態とを選択的に形成することができる。
【００２０】
開口部５の水が逆流するときで河川１に流れがある場合は、図４に示すように、河川１の上流側の開口部５のゲート４を閉じるとともに、下流側の開口部５のゲート４を解放する。
このようにゲート４を操作することにより、スクリーン３の内側に滞留する浮遊物を下流側の開口部５から効率的に排出することができる。
【００２１】
また、スクリーン３をディスクスクリーンによって構成することにより、スクリーン３の内側に滞留する浮遊物を、回転駆動するスクリーンユニット３０により順次横送りし、開口部５から速やかに排出することができる。
【００２２】
【発明の効果】
本発明の取水装置によれば、通常時はゲートにより開口部を閉じスクリーンを通じて取水するとともに、水の逆流時はゲートを開けて開口部を開放し、スクリーンの内側に滞留する浮遊物を開口部から排出することができる。
【００２３】
そして、開放したゲートによりスクリーンの背面を閉鎖することにより、逆流する水をスクリーンを通さずに開口部から放出し、浮遊物を効率的に排出することができる。
【００２４】
さらに、スクリーンを、多数の円板が回転軸に固定された多重回転円板式スクリーンユニットを、該スクリーンユニットの円板の間隙に隣接するスクリーンユニットの円板が挿入されるように並設したディスクスクリーンにより構成することにより、スクリーンの内側に滞留する浮遊物を、回転駆動するスクリーンユニットにより順次横送りし、開口部から速やかに排出することができる。
【図面の簡単な説明】
【図１】  本発明の取水装置の一実施例を示し、（ａ）は開口部を閉じた状態を示す平面図、（ｂ）は開口部を開放した状態を示す平面図である。
【図２】  同実施例の取水装置を示す断面図である。
【図３】  同取水装置のスクリーンの正面図である。
【図４】  取水装置の参考例を示す平面図である。
【符号の説明】
１    河川
２    取水口
２ａ  側壁
２ｂ  上壁
３    スクリーン
３０  スクリーンユニット
３１  円板
３２  回転軸
４    ゲート
４ａ  枢着軸
５    開口部
６    ゲート開閉装置
７    フレーム
８    動力装置
９    流れ方向検知装置
１０  検知センサ
１１  フラップ
【図１】
0004057228.tif 000002
【図２】
0004057228.tif 000003
【図３】
0004057228.tif 000004
【図４】
0004057228.tif 000005